(57)【要約】      （修正有）【課題】環境の変化による影響を低減する端末装置、基地局装置、通信システム、通信方法またはプログラムを提供する。【解決手段】端末装置３０は、スケジューリング情報処理部３１１と送信処理部３１４とを備える。スケジューリング情報処理部３１１は、基地局装置から上りリンクデータのスケジューリング情報を取得する。送信処理部３１４は、スケジューリング情報の取得後、上りリンクデータの所定の送信時までに測定された受信電力に基づいて定められた送信パラメータを用いて、上りリンクデータを送信する。【選択図】図３
2017212551.tif 000002
【特許請求の範囲】
【請求項１】
基地局装置から上りリンクデータのスケジューリング情報を取得するスケジューリング情報処理部と、
前記スケジューリング情報の取得後、前記上りリンクデータの所定の送信時までに測定された受信電力に基づいて定められた送信パラメータを用いて、前記上りリンクデータを送信する送信処理部と、
を備える端末装置。
【請求項２】
前記スケジューリング情報の取得後、所定の送信時までに前記受信電力を測定するセンシング処理部と、
前記センシング処理部が測定した受信電力に基づいて前記送信パラメータを定める送信判定部と、
をさらに備える請求項１に記載の端末装置。
【請求項３】
前記送信判定部は、前記基地局装置から前記送信パラメータの範囲を示す範囲情報を受信し、前記範囲情報が示す範囲内に前記送信パラメータを定めることを特徴とする
請求項２に記載の端末装置。
【請求項４】
前記スケジューリング情報処理部は、
前記スケジューリング情報のうち前記上りリンクデータの無線リソース情報を取得し、
前記無線リソース情報の取得後、前記上りリンクデータの所定の送信時までに前記送信パラメータを前記基地局装置から取得する
ことを特徴とする請求項１に記載の端末装置。
【請求項５】
前記送信判定部は、
前記センシング処理部が測定した受信電力に基づいて定めた送信パラメータを更新パラメータとして前記基地局装置に送信する
ことを特徴とする請求項２または請求項３に記載の端末装置。
【請求項６】
端末装置が送信する上りリンクデータのスケジューリング情報を生成するスケジューリング情報生成部と、
前記スケジューリング情報に含まれる送信パラメータから更新された更新パラメータを前記端末装置から受信し、前記更新パラメータに対応する受信パラメータを特定する更新パラメータ処理部と、
前記受信パラメータを用いて前記上りリンクデータを受信する受信処理部と、
を備える基地局装置。
【請求項７】
端末装置が送信する上りリンクデータの無線リソース情報を生成し、前記無線リソース情報を前記端末装置に送信し、
前記無線リソース情報の送信後、前記上りリンクデータの所定の送信時までに前記上りリンクデータの送信パラメータを定め、当該送信パラメータを前記端末装置に送信するスケジューリング情報生成部と、
前記送信パラメータに対応する受信パラメータを用いて前記上りリンクデータを受信する受信処理部と、
を備える基地局装置。
【請求項８】
端末装置と基地局装置を備える通信システムであって、
前記端末装置は、
前記基地局装置から上りリンクデータのスケジューリング情報を取得するスケジューリング情報処理部と、
前記スケジューリング情報の取得後、前記上りリンクデータの所定の送信時までに測定された受信電力に基づいて定められた送信パラメータを用いて、前記上りリンクデータを送信する送信処理部と、
を備える通信システム。
【請求項９】
端末装置における通信方法であって、
基地局装置から上りリンクデータのスケジューリング情報を取得するスケジューリング情報処理ステップと、
前記スケジューリング情報の取得後、前記の上りリンクデータの所定の送信時までに測定された受信電力に基づいて定められた送信パラメータを用いて、前記上りリンクデータを送信する送信処理ステップと、
を有する通信方法。
【請求項１０】
端末装置のコンピュータに、
基地局装置から上りリンクデータのスケジューリング情報を取得するスケジューリング情報処理手順、
前記スケジューリング情報の取得後、前記の上りリンクデータの所定の送信時までに
測定された受信電力に基づいて定められた送信パラメータを用いて、前記上りリンクデータを送信する送信処理手順、
を実行させるためのプログラム。
【発明の詳細な説明】
【技術分野】
【０００１】
本発明は、端末装置、基地局装置、通信システム、通信方法およびプログラムに関する。
【背景技術】
【０００２】
ＬＴＥ（Ｌｏｎｇ  Ｔｅｒｍ  Ｅｖｏｌｕｔｉｏｎ）方式を利用した無線通信システムでは、アンライセンスバンド（ｕｎｌｉｃｅｎｓｅｄ  ｂａｎｄ）の利用が検討されている。アンライセンスバンドとは、ライセンス不要の周波数帯域である。そのため、必ずしも許認可を受けていない事業者同士が、事業者間において互いに協調せずにアンライセンスバンドを用いて通信を行う可能性がある。
【０００３】
そこで、ＬＡＡ（Ｌｉｃｅｎｓｅｄ−Ａｓｓｉｓｔｅｄ  Ａｃｃｅｓｓ  ｕｓｉｎｇ  ＬＴＥ）方式において、送受信制御を適切に行うために各種の処理方式が提案されている。ＬＡＡ方式とは、アンライセンスバンドを用いて、ＬＴＥ方式を用いて無線通信を行う方式である。ＬＡＡは、ＬＴＥ−Ｕ（ＬＴＥ  ｉｎ  Ｕｎｌｉｃｅｎｓｅｄ  ｓｐｅｃｔｒｕｍ）とも呼ばれる。例えば、引用文献１には、基地局装置から送信される下りリンク送信指示と、アンライセンスバンドにおいて他の送信ポイントから送信される信号の検出結果に基づいて、アンライセンスバンドにおける下りリンク信号の送信を制御し、検出結果に関する情報を無線基地局にライセンスバンドを用いて送信する端末装置について記載されている。
【先行技術文献】
【特許文献】
【０００４】
【特許文献１】特開２０１５−１７９９９４号公報
【発明の概要】
【発明が解決しようとする課題】
【０００５】
しかしながら、ＬＴＥ方式の仕様によれば、基地局装置から端末装置への送信指示から、端末装置によるデータ送信までの時間が４ｍｓ以上である。他方、ＬＡＡ方式で用いられるアンライセンスバンドは、環境の変化による影響を著しく受けることがある。環境の変化には、例えば、ＩＥＥＥ８０２．１１に規定された通信方式など、他の通信方式を用いた通信に係る電波との干渉などがある。そのため、基地局装置からの送信指示に含まれる送信パラメータが、端末装置からのデータ送信時点において必ずしも適切でなくなるという課題が生じていた。
【０００６】
本発明は上記の点に鑑みてなされたものであり、環境の変化による影響を低減することができる端末装置、基地局装置、通信システム、通信方法およびプログラムを提供する。
【課題を解決するための手段】
【０００７】
本発明は上記の課題を解決するためになされたものであり、本発明の一態様は、基地局装置から上りリンクデータのスケジューリング情報を取得するスケジューリング情報処理部と、前記スケジューリング情報の取得後、前記上りリンクデータの所定の送信時までに測定された受信電力に基づいて定められた送信パラメータを用いて、前記上りリンクデータを送信する送信処理部と、を備える端末装置である。
【発明の効果】
【０００８】
本発明によれば、環境の変化による影響を低減することができる。
【図面の簡単な説明】
【０００９】
【図１】第１の実施形態に係る通信システムの構成を示す概略図である。
【図２】第１の実施形態に係るスモールセル基地局装置の構成を示す概略ブロック図である。
【図３】第１の実施形態に係る端末装置の構成を示す概略ブロック図である。
【図４】第１の実施形態に係るスケジューリング通知方式を示すタイミングチャートである。
【図５】第１の実施形態に係る通信処理の一例を示すフローチャートである。
【図６】第１の実施形態に係る通信処理の一例を示すシーケンス図である。
【図７】第１の実施形態に係る通信処理の他の例を示すシーケンス図である。
【図８】第２の実施形態に係るスモールセル基地局装置の構成を示す概略ブロック図である。
【図９】第２の実施形態に係る通信処理の一例を示すシーケンス図である。
【図１０】第３の実施形態に係るスモールセル基地局装置の構成を示す概略ブロック図である。
【図１１】第３の実施形態に係るスケジューリング通知方式を示すタイミングチャートである。
【図１２】第３の実施形態に係る端末装置の構成を示す概略ブロック図である。
【図１３】第３の実施形態に係る通信処理の一例を示すシーケンス図である。
【発明を実施するための形態】
【００１０】
（第１の実施形態）
本発明の第１の実施形態について、図面を参照しながら説明する。
図１は、本実施形態に係る通信システム１の構成を示す概略図である。
通信システム１は、所定の通信方式、例えば、ＬＡＡ方式を用いて無線通信を行う通信システムである。ＬＡＡ方式は、３ＧＰＰ（３ｒｄ  Ｇｅｎｅｒａｔｉｏｎ  Ｐａｒｔｎｅｒｓｈｉｐ  Ｐｒｏｊｅｃｔ）において提案された無線通信方式である。この方式は、ライセンスバンド（ｌｉｃｅｎｓｅｄ  ｂａｎｄ）を主セル（Ｐｃｅｌｌ：  Ｐｒｉｍａｒｙ  ｃｅｌｌ）、アンライセンスバンドを副セル（Ｓｃｅｌｌ：  Ｓｅｃｏｎｄａｒｙ  ｃｅｌｌ）としてキャリアアグリゲーション（ＣＡ：  Ｃａｒｒｉｅｒ  Ａｇｇｒｅｇａｔｉｏｎ）を行う無線通信方式である。キャリアアグリゲーションとは、複数の互いに異なる周波数帯域の搬送波を１つの通信回線として用いる手法である。
【００１１】
図１に示す例では、通信システム１は、スモールセル基地局装置１０、マクロセル基地局装置２０、端末装置３０およびコアネットワークＣＲ０１を含んで構成される。スモールセル基地局装置１０、マクロセル基地局装置２０および端末装置３０の数は、図１に示す例では各１個であるが、一般には複数である。
【００１２】
スモールセル基地局装置１０は、副セルとしてアンライセンスバンドを用いて各種のデータを送受信する。スモールセル基地局装置１０は、端末装置３０が送信する上りリンクデータの送信をスケジューリングし、その送信パラメータを定める。一般に、スモールセル基地局装置とは、データ送信に用いる電波が届く範囲が相対的に狭い基地局装置である。スモールセルとは、その範囲の他、スモールセル基地局装置を意味することがある。スモールセルには、マイクロセル、ナノセル、ピコセルおよびフェムトセルが含まれ、その範囲の半径は、典型的には、数百〜数十ｍ以下である。スモールセル基地局装置は、マクロセル基地局装置の機能を補完するために用いられることがある。スモールセル基地局装置は、例えば、人口密度の高い地域など、通信容量をより増加させる領域や、山間部、建造物その他の構造物の影、地下空間など、マクロセル基地局からの電波が届きにくい領域に設置される。図１において、セルＣ０１は、スモールセル基地局装置１０からの電波が届く範囲を示す。
【００１３】
マクロセル基地局装置２０は、主セルとしてライセンスバンドを用いて各種のデータを送受信する。ライセンスバンドは、免許を要する周波数帯域を意味する。一般に、マクロセル基地局装置とは、データ送信に用いる電波が届く範囲が相対的に広い基地局装置である。マクロセルとは、その範囲の他、マクロセル基地局装置を意味することがある。その範囲の半径は、典型的には、数百ｍ〜数ｋｍである。図１において、セルＣ０２は、マクロセル基地局装置２０からの電波が届く範囲を示す。
【００１４】
スモールセル基地局装置１０とマクロセル基地局装置２０は、それぞれＳ１インタフェースを介してコアネットワークＣＲ０１と接続されている他、相互に接続されている。スモールセル基地局装置１０とマクロセル基地局装置２０は、相対的に高速低遅延の理想的専用回線（ｉｄｅａｌ  ｂａｃｋｈａｕｌ）を介して直接接続されてもよいし、Ｘ２インタフェースを介して接続されてもよい。Ｘ２インタフェースを介した接続では、相対的に低速中遅延の非理想的専用回線（ｎｏｎ−ｉｄｅａｌ  ｂａｃｋｈａｕｌ）が用いられてもよい。これらの専用回線は、無線であっても有線であってもよい。
【００１５】
端末装置３０は、通信システム１を介して相手先の機器との間で無線通信を行う通信装置である。端末装置３０は、例えば、携帯電話機、タブレット端末装置、無線通信カードなどのユーザ装置である。端末装置３０は、スモールセル基地局装置１０から受信した送信パラメータを、その時点における通信環境に応じて更新する。端末装置３０は、更新により得られた更新パラメータに基づいて上りリンクデータをスモールセル基地局装置１０に送信する。
なお、スモールセル基地局装置１０とマクロセル基地局装置２０は、１つの基地局装置として一体に構成されてもよい。
【００１６】
（スモールセル基地局装置）
次に、本実施形態に係るスモールセル基地局装置１０の構成について説明する。
図２は、本実施形態に係るスモールセル基地局装置１０の構成を示す概略ブロック図である。スモールセル基地局装置１０は、制御部１１、第１通信部１２および第２通信部１３を含んで構成される。
【００１７】
制御部１１は、受信処理部１１１、センシング処理部１１２、スケジューリング情報生成部１１３および送信判定部１１４を含んで構成される。
受信処理部１１１は、端末装置３０からの受信信号を、第１通信部１２の副セル受信部１２１を介して受信する。受信処理部１１１は、受信信号についてスケジューリング情報生成部１１３が生成した上りスケジューリング情報（後述）を用いて所定の受信処理を行って上りリンクデータを取得する。上りスケジューリング情報（後述）には送信パラメータとしてＭＣＳ値（後述）とリソースブロック（後述）が含まれる。受信処理には、指定されたリソースブロックに割り当てた受信信号を抽出する処理、取得した受信信号を、ＭＣＳ値で指定される変調方式に対応する復号方式で受信信号を復調する処理、復調により得られた符号化データをＭＣＳ値で指定される符号化方式に対応する復号方式で符号化データを復号して上りリンクデータを取得する処理が含まれる。
【００１８】
センシング処理部１１２は、ＬＢＴ（Ｌｉｓｔｅｎ  Ｂｅｆｏｒｅ  Ｔａｌｋ）期間において第１通信部１２の干渉受信部１２３を介して受信信号を受信する。センシング処理部１１２は、受信した受信信号の受信電力を測定し、測定した受信電力を送信判定部１１４に出力する。ＬＢＴとは、データを送信する前に、自システム外の機器からの受信信号を検出および測定することを指し、ＣＣＡ（Ｃｌｅａｒ  Ｃｈａｎｎｅｌ  Ａｓｓｅｓｓｍｅｎｔ）とも呼ばれる。ＬＢＴ期間とは、ＬＢＴを行う期間を意味する。ＬＢＴ期間は、例えば、端末装置３０から上りリンクデータの送信が開始される直前に、通信中の他の通信システムが存在するかどうか(ｂｕｓｙであるかｉｄｌｅであるか)を確認するために通信システム規格により定められた所定の期間である。また、その期間は通常、ＱｏＳ（Ｑｕａｌｉｔｙ  ｏｆ  Ｓｅｒｖｉｃｅ）やｂｕｓｙ判定の回数などにより異なることがある。あるいは、端末装置３０からの上りリンクデータの送信が開始されるサブフレームと、自装置からの下りリンクデータの送信が開始されるサブフレームそれぞれの開始時刻までの所定期間がＬＢＴ期間として設定されてもよい。この所定期間は、例えば、１スロットに相当する０．５ｍｓ、１サブフレームに相当する１ｍｓなどであってもよい。ＬＢＴ期間は、例えば、所定周期（例えば、１フレームに相当する１０ｍｓ）ごとに設けられてもよい。
【００１９】
スケジューリング情報生成部１１３は、端末装置３０からの受信信号を復調して得られる参照信号と、端末装置３０から報告される品質情報の一方または両方に基づいて上りスケジューリング情報を生成する。以下の説明では、スケジューリング情報の少なくとも１つの要素を定めることと、スケジューリング情報を生成することをスケジューリングと総称することがある。参照信号と品質情報は、端末装置３０の制御部３１（後述）において生成され上りリンクデータと併せて送信される。品質情報については、上りリンクデータと別々に送信されてもよい。端末装置３０がマクロセル基地局装置２０あるいはスモールセル基地局装置１０へ報告する品質情報として、例えば、端末装置３０が各基地局装置から受信した電波の受信電力が用いられる。あるいは、スケジューリング情報生成部１１３は、品質情報の一例として、端末装置３０の制御部３１が取得したＬＢＴ期間で測定された受信電力と送信可否の判定を示すＬＢＴ情報を用いてもよい。なお、端末装置３０の制御部３１は、生成したＬＢＴ情報をマクロセル基地局装置２０にライセンスバンドを用いて送信してもよい。マクロセル基地局装置２０は、端末装置３０から受信したＬＢＴ情報をスモールセル基地局装置１０に専用回線を介して送信する。ＬＢＴ情報は、アンライセンスバンドを用いて送信される場合ほど環境の影響を受けない。
スケジューリング情報生成部１１３は、生成した上りスケジューリング情報を送信判定部１１４に出力する。
【００２０】
上りスケジューリング情報は、例えば、上りリンクグラント（ＵＬ  ｇｒａｎｔ）である。上りスケジューリング情報には、上りリンクデータを伝送する物理上り共有チャネル（ＰＵＳＣＨ：Ｐｈｙｓｉｃａｌ  Ｕｐｌｉｎｋ  Ｓｈａｒｅｄ  Ｃｈａｎｎｅｌ）の送信パラメータが含まれる。その送信パラメータの要素として、例えば、無線リソース情報を示す無線リソースブロック（ＲＢ：Ｒｅｓｏｕｒｃｅ  Ｂｌｏｃｋ）、伝送レートに関する変調パラメータ、ＴＰＣ（Ｔｒａｎｓｍｉｓｓｉｏｎ  Ｐｏｗｅｒ  Ｃｏｎｔｒｏｌ、送信電力制御）コマンドが含まれる。
【００２１】
無線リソースブロックは、各種のデータの伝送に用いる周波数帯域とサブフレームを割り当てる際の最小単位を示すリソース情報である。スケジューリング情報生成部１１３は、取得した品質情報を参照して、通信品質が最も高い無線リソースブロックを端末装置３０との間のデータの伝送に用いる無線リソースブロックとして定める。複数の端末装置３０が接続される場合には、スケジューリング情報生成部１１３は、複数の端末装置３０間で重複せず、かつ全体として通信品質が最も高くなる無線リソースブロックを端末装置３０毎に定める。
【００２２】
変調パラメータは、例えば、ＭＣＳ（Ｍｏｄｕｌａｔｉｏｎ  ａｎｄ  Ｃｏｄｉｎｇ  Ｓｃｈｅｍｅ）値で表される。ＭＣＳ値は、変調方式と符号化率の組み合わせを示すインデックスである。ＭＣＳ値は、その組み合わせに応じた伝送レートの昇順に定められている。従って、ＭＣＳ値が小さいほど、干渉に対する耐性が高く、伝送レートが低くなる。また、変調方式ごとの値数が小さいほど、干渉に対する耐性が高く、伝送レートが低くなる。符号化率が高いほど、干渉に対する耐性が低く、伝送レートが高くなる。ＴＰＣコマンドは、端末装置３０からの上りリンクデータの送信電力を制御するための命令である。ＴＰＣコマンドには、ＴＰＣ指示が含まれる。ＴＰＣ指示は、所定の基準値からの送信電力の差分をｄＢで表した送信電力の目標値である。ＴＰＣ指示の値が大きいほど、送信電力が大きいことを示す。従って、ＴＰＣ指示の値が大きいほど、干渉に対する耐性が高い。そこで、スケジューリング情報生成部１１３は、取得した通信品質が低いほど干渉に対する耐性が高いパラメータを送信パラメータとして定め、取得した通信品質が高いほど干渉に対する耐性が低いパラメータを送信パラメータとして定める。
【００２３】
送信判定部１１４は、センシング処理部１１２から入力された受信電力に基づいて下りリンクデータを送信するか否かを判定する。下りリンクデータには、スケジューリング情報生成部１１３から入力される上りスケジューリング情報が含まれる。送信判定部１１４は、例えば、入力された受信電力が所定の受信電力の閾値よりも低いとき、下りリンクデータを送信すると判定し、その入力された受信電力が所定の受信電力の閾値以上であるとき、下りリンクデータを送信しないと判定する。送信判定部１１４は、送信すると判定するとき、その直後のサブフレームにおいて第１通信部１２を介して端末装置３０に下りリンクデータを送信信号として送信する。送信判定部１１４は、下りリンクデータのうちスケジューリング情報を下り制御信号（ＰＤＣＣＨ：Ｐｈｙｓｉｃａｌ  Ｄｏｗｎｌｉｎｋ  Ｃｏｎｔｒｏｌ  Ｃｈａｎｎｅｌ、物理下りリンク制御チャネル）として送信する。
【００２４】
その他、制御部１１は、端末装置３０との通信に関わる様々な制御を行う。かかる制御には、例えば、送信データや受信データに対する各種の処理、第１通信部１２において送受信に用いられるキャリア周波数の制御、端末装置３０の位置登録、端末装置３０との接続、ハンドオーバなどがある。
【００２５】
第１通信部１２は、副セル受信部１２１、副セル送信部１２２および干渉受信部１２３を含んで構成される。図２に示す例では、副セル受信部１２１、副セル送信部１２２および干渉受信部１２３は、互いに別個の構成として表されている。
副セル受信部１２１は、端末装置３０からアンライセンスバンドの電波を受信信号として受信する。副セル受信部１２１は、受信した受信信号を制御部１１に出力する。
副セル送信部１２２は、制御部１１から入力される送信信号をアンライセンスバンドの電波として端末装置３０に送信する。
【００２６】
干渉受信部１２３は、他の信号源からアンライセンスバンドの一部または全部の帯域の電波を受信信号として受信する。干渉受信部１２３が受信した受信信号を干渉信号と呼ぶことがある。他の信号源として、典型的には通信システム１とは別個の無線通信システムの構成機器がなりうる。別個の無線通信システムには、通信方式として、他のＬＡＡ方式を用いる無線通信システム、ＩＥＥＥ８０２．１１に規定された通信方式を用いる無線通信システム、などがある。干渉受信部１２３は、受信した受信信号をセンシング処理部１１２に出力する。
【００２７】
第２通信部１３は、コアネットワークＣＲ０１の各構成機器およびマクロセル基地局装置２０との間で、それぞれ各種のデータを送受信する。
【００２８】
マクロセル基地局装置２０は、スモールセル基地局装置１０と同様な構成を備える。但し、マクロセル基地局装置２０は、副セル受信部１２１と副セル送信部１２２に代えて、主セル受信部と主セル送信部を備える。主セル受信部は、端末装置３０からライセンスバンドを用いて伝送された電波を受信信号として受信する。主セル送信部は、送信判定部から入力される送信信号を電波として端末装置３０に送信する。
なお、通信システム１が、マクロセル基地局装置２０と端末装置３０間の通信のスケジューリング制御、およびスモールセル基地局装置１０と端末装置３０間の通信のスケジューリング制御を１つのスケジューリング情報生成部で実施する場合には、スケジューリング情報生成部はマクロセル基地局装置２０側に実装されてもよいし、スモールセル基地局装置１０側に実装されてもよい。マクロセル基地局装置２０側に実装される場合には、図２に示すスケジューリング情報生成部１１３は存在せず、第２通信部１３経由でマクロセル基地局装置２０より受信したスケジューリング情報に基づいてスモールセル基地局装置の各部はスケジューリング制御を受ける。
もちろん、マクロセル基地局装置２０およびスモールセル基地局装置１０のそれぞれにスケジューリング情報生成部を実装してもよい。特にマクロセル基地局装置２０とスモールセル基地局装置１０がｎｏｎ−ｉｄｅａｌ  ｂａｃｋｈａｕｌで接続される場合や、Ｘ２インタフェースを介して接続される場合には、スケジューリング遅延が生じるため、各基地局がスケジューリング生成部を備えることが有効となる。
【００２９】
（端末装置）
次に、本実施形態に係る端末装置３０の構成について説明する。
図３は、本実施形態に係る端末装置３０の構成を示す概略ブロック図である。
端末装置３０は、制御部３１および通信部３２を含んで構成される。制御部３１は、スケジューリング情報処理部３１１、センシング処理部３１２、送信判定部３１３および送信処理部３１４を含んで構成される。
【００３０】
スケジューリング情報処理部３１１は、スモールセル基地局装置１０から通信部３２の副セル受信部３２３を介して受信信号を受信する。スケジューリング情報処理部３１１は、受信した受信信号を復調し、下り制御信号として伝送される上りスケジューリング情報を取得する。スケジューリング情報処理部３１１は、取得した上りスケジューリング情報から上りリンクデータの送信パラメータを抽出する。送信パラメータには、上述した無線リソースブロック、伝送レート、ＴＰＣコマンドが含まれる。なお、クロススケジューリング（後述）の場合には、スケジューリング情報処理部３１１は、マクロセル基地局装置２０から通信部３２の主セル受信部３２１を介して受信した受信信号から上りスケジューリング情報を取得する。
【００３１】
センシング処理部３１２には、ＬＢＴ期間において通信部３２の干渉受信部３２５を介して受信信号を受信する。ＬＢＴ期間は、上述したように上りリンクデータの送信開始までの所定期間である。センシング処理部３１２は、受信した受信信号の受信電力を測定し、測定した受信電力を送信判定部３１３に出力する。
【００３２】
送信判定部３１３は、センシング処理部３１２から入力された受信電力に基づいて所定の送信時刻（例えば、下りリンクデータを受信したサブフレームから４サブフレーム後）において上りリンクデータを送信するか否かを判定する。送信判定部３１３は、入力された受信電力がＥＤ（Ｅｎｅｒｇｙ  Ｄｅｔｅｃｔｉｏｎ、エネルギー検出）閾値より低いとき、上りリンクデータを送信すると判定する。送信判定部３１３は、入力された受信電力がＥＤ閾値以上であるとき、上りリンクデータを送信しないと判定する。ＥＤ閾値とは、上りリンクデータの送信の可否を判定するための所定の受信電力の閾値である。
【００３３】
送信判定部３１３は、上りリンクデータを送信すると判定する場合、さらに入力された受信電力に基づいて送信パラメータを更新するか否かを判定してもよい。送信判定部３１３は、入力された受信電力が送信パラメータ決定閾値よりも低い場合、スケジューリング情報処理部３１１が取得した送信パラメータを変更しない。送信判定部３１３は、入力された受信電力が送信パラメータ決定閾値以上であるとき、スケジューリング情報処理部３１１が取得した送信パラメータを、より干渉への耐性が高いパラメータに更新する。送信判定部３１３は、パラメータの更新として、取得されたＴＰＣ指示の増加、ＭＣＳ値の減少およびＭＣＳ値で指定される変調方式よりも値数の少ない変調方式の特定、のいずれを行ってもよい。
【００３４】
送信判定部３１３は、上りリンクデータの送信の可否を示す送信判定情報および送信パラメータを送信処理部３１４に出力する。送信パラメータを更新しないと判定された場合には、スケジューリング情報処理部３１１が取得した送信パラメータが出力され、送信パラメータを更新すると判定された場合には、送信判定部３１３が更新した送信パラメータが出力される。以下の説明では、送信判定部３１３が更新した送信パラメータを更新パラメータと呼ぶことがある。
【００３５】
送信処理部３１４は、送信対象の上りリンクデータを取得する。送信処理部３１４は、例えば、アプリケーションプログラムで指示されるコマンドの実行により生成されたユーザデータを送信対象の上りリンクデータとして取得する。送信処理部３１４は、送信判定部３１３から入力される送信判定情報が送信しないことを示すとき、上りリンクデータを送信しない。送信処理部３１４は、送信判定部３１３から入力される送信判定情報が送信を示すとき、上りリンクデータについて送信判定部３１３から入力される送信パラメータを用いて所定の送信処理を行う。送信処理には、ＭＣＳ値で指定される符号化方式で上りリンクデータを符号化する処理、ＭＣＳ値で指定される変調方式で符号化データを変調する処理、変調により得られた送信信号をＴＰＣ指示で指定される送信電力に調整する処理および送信電力を調整した送信電力を指定されたリソースブロックに割り当てる処理が含まれる。送信処理部３１４は、送信処理により得られる送信信号を通信部３２の副セル送信部３２４に出力する。
【００３６】
その他、制御部３１は、スモールセル基地局装置１０およびマクロセル基地局装置２０との通信に関わる様々な制御を行う。かかる制御には、例えば、送信データや受信データに対する各種の処理、通信部３２において送受信に用いられるキャリア周波数の制御、スモールセル基地局装置１０またはマクロセル基地局装置２０を介した位置登録、スモールセル基地局装置１０またはマクロセル基地局装置２０との接続、ハンドオーバなどがある。
【００３７】
通信部３２は、主セル受信部３２１、主セル送信部３２２、副セル受信部３２３、副セル送信部３２４および干渉受信部３２５を含んで構成される。
主セル受信部３２１は、マクロセル基地局装置２０から伝送されたライセンスバンドの電波を受信信号として受信する。主セル受信部３２１は、受信した受信信号を制御部３１に出力する。
主セル送信部３２２は、制御部３１から入力される送信信号をライセンスバンドの電波としてマクロセル基地局装置２０に送信する。
副セル受信部３２３は、スモールセル基地局装置１０からアンライセンスバンドの電波を受信信号として受信する。副セル受信部３２３は、受信した受信信号を制御部３１に出力する。
副セル送信部３２４は、制御部３１から入力される送信信号をアンライセンスバンドの電波としてスモールセル基地局装置１０に送信する。
干渉受信部３２５は、他の信号源からアンライセンスバンドの一部または全部の帯域の電波を受信信号として受信する。干渉受信部３２５は、受信した受信信号をセンシング処理部３１２に出力する。
【００３８】
なお、図３に示す例では、主セル受信部３２１、主セル送信部３２２、副セル受信部３２３、副セル送信部３２４および干渉受信部３２５は、互いに別個の構成として表されている。主セル受信部３２１、主セル送信部３２２、副セル受信部３２３、副セル送信部３２４および干渉受信部３２５それぞれの一部の構成、例えば、アンテナが共通であってもよい。
【００３９】
（スケジューリング通知方法）
次に、スケジューリング通知方法について説明する。スケジューリング通知方法には、
セルフスケジューリングとクロススケジューリングとがある。セルフスケジューリングとは、上りリンクデータの送信先となる基地局装置が、そのデータに係る上りスケジューリング情報を生成し、生成したスケジューリング情報を上りリンクデータの送信元の端末装置に通知する手法である。図１−図３に示す構成例は、セルフスケジューリングを前提としている。図４（Ａ）に示すように、スモールセル基地局装置１０の送信判定部１１４は、スケジューリング情報生成部１１３が生成した上りスケジューリング情報（Ｓｃｅｌｌ下りリンク上りスケジューリング情報）を端末装置３０に送信する。上りスケジューリング情報の送信の可否を判定する際に、その送信の直前において、スモールセル基地局装置１０のセンシング処理部１１２は、ＬＢＴを行う。端末装置３０のセンシング処理部３１２は、上りリンクデータの送信開始直前にＬＢＴを行う。上りリンクデータの送信開始時は、スケジューリング情報処理部３１１が、スモールセル基地局装置１０から上りスケジューリング情報を受信した時点から４サブフレーム後である。送信判定部３１３は、ＬＢＴの結果である受信電力に基づいて送信の可否を判定し、送信すると判定するとき受信電力に応じて上りスケジューリング情報に含まれる送信パラメータを更新するか否かを判定する。送信処理部３１４は、上りリンクデータについて送信パラメータに基づいて所定の送信処理を行って得られた送信信号（Ｓｃｅｌｌ上りリンクデータ）をスモールセル基地局装置１０に送信する。
【００４０】
クロススケジューリングとは、上りリンクデータの送信先となる基地局装置（セル）とは別個の基地局装置（セル）が、そのデータに係る上りスケジューリング情報を生成し、生成した上りスケジューリング情報を上りリンクデータの送信元の端末装置に送信する手法である。つまり、スケジューリング通知方法に応じて、上りスケジューリング情報の生成、送信を行う基地局装置が、スモールセル基地局装置１０であるかマクロセル基地局装置２０あるかが異なる。クロススケジューリングでは、図４（Ｂ）に示すように、マクロセル基地局装置２０の送信判定部は、自装置のスケジューリング情報生成部が生成した上りスケジューリング情報（Ｐｃｅｌｌ下りリンク上りスケジューリング情報）を端末装置３０に送信する。この場合、マクロセル基地局装置２０の送信判定部はＬＢＴを行わなくてもよい。端末装置３０は、マクロセル基地局装置２０から受信した上りスケジューリング情報に基づいて、セルフスケジューリングの場合と同様に、上りリンクデータについて送信処理を行う。なお、クロススケジューリングでは、スモールセル基地局装置１０において、スケジューリング情報生成部１１３が省略されてもよい。
【００４１】
（通信処理）
次に、本実施形態に係る端末装置３０が行う通信処理について図５と図６を用いて説明する。図５は、本実施形態に係る通信処理の一例を示すフローチャートである。図６は、当該処理を示すシーケンス図である。
（ステップＳ１０１）スケジューリング通知方法がセルフスケジューリングである場合、スケジューリング情報処理部３１１は、図６のステップＳ１１１に示すようにスモールセル基地局装置１０から副セル受信部３２３を介して上りスケジューリング情報を受信する。他方、スケジューリング通知方法がクロススケジューリングである場合、スケジューリング情報処理部３１１は、マクロセル基地局装置２０から主セル受信部３２１を介して上りスケジューリング情報を受信する。上りスケジューリング情報には、無線リソースブロック（ＲＢ）、伝送レート（ＭＣＳ値）、ＴＰＣコマンドなどが含まれる。その後、ステップＳ１０２の処理に進む。
【００４２】
（ステップＳ１０２）センシング処理部３１２は、上りスケジューリング情報の受信時から４サブフレーム後の直前のＬＢＴ期間において干渉受信部３２５を介して受信した受信信号の受信電力をセンシングレベルとして測定する。その後、ステップＳ１０３の処理に進む。
（ステップＳ１０３）送信判定部３１３は、受信電力が所定のＥＤ閾値以上であるか否かを判定する。ＥＤ閾値以上であると判定する場合（ステップＳ１０３  ＹＥＳ）、送信判定部３１３は、ＬＢＴ判定がｂｕｓｙと判定する。その後、ステップＳ１０５の処理に進む。ＥＤ閾値未満であると判定する場合（ステップＳ１０３  ＮＯ）、送信判定部３１３は、ＬＢＴ判定がｉｄｌｅと判定する。その後、ステップＳ１０４の処理に進む。なお、図６に示すステップＳ１１２は、送信判定部３１３によるＬＢＴ判定がｉｄｌｅである場合を前提としている。
（ステップＳ１０４）送信判定部３１３は、受信電力が所定の送信パラメータ決定閾値以上であるか否かを判定する。送信パラメータ決定閾値以上であると判定する場合（ステップＳ１０４  ＹＥＳ）、ステップＳ１０７の処理に進む。送信パラメータ決定閾値未満であると判定する場合（ステップＳ１０４  ＮＯ）、ステップＳ１０６の処理に進む。
【００４３】
（ステップＳ１０５）送信判定部３１３は、上りリンクデータを送信しないと判定する。送信処理部３１４は、上りリンクデータを送信しない。その後、図５の処理を終了する。
（ステップＳ１０６）送信判定部３１３は、上りスケジューリング情報が示す送信パラメータを更新しない。送信処理部３１４は、上りスケジューリング情報で設定される通りの送信パラメータに基づいて上りリンクデータについて所定の送信処理を行う。送信処理部３１４は、送信処理により得られた送信信号をスモールセル基地局装置１０に送信する。
【００４４】
（ステップＳ１０７）送信判定部３１３は、上りスケジューリング情報が示す送信パラメータの値をより干渉への耐性が高い値に更新する。この処理は、図６のステップＳ１１２の処理に相当する。その後、送信処理部３１４は、図６のステップＳ１１３に示すように更新された更新パラメータに基づいて上りリンクデータに所定の送信処理を行う。送信処理部３１４は、送信処理により得られた送信信号をスモールセル基地局装置１０に送信する。スモールセル基地局装置１０の受信処理部１１１は、図６のステップＳ１１４に示すように端末装置３０から受信した受信信号について所定の受信処理を行って上りリンクデータを取得する。その後、図５に示す処理を終了する。
【００４５】
ステップＳ１０７における送信パラメータの更新は、送信電力の増加、ＭＣＳ値の減少および変調の値数の減少のいずれか、またはそれらの組み合わせであってもよい。送信電力の増加は、例えば、上りスケジューリング情報に含まれるＴＰＣ指示の値（例えば、＋３ｄＢ、０ｄＢ、−１ｄＢ）に、所定の増加量（例えば、５ｄＢ）を加算することである。ＭＣＳ値の減少は、例えば、上りスケジューリング情報に含まれるＭＣＳ値（例えば、１０）から所定の減少量（例えば、１）を減算することである。変調の値数の減少は、上りスケジューリング情報に含まれるＭＣＳ値で指定される変調方式よりも、所定の段階数（例えば、１段階）下位の値数の変調方式を特定することである。変調の値とは、１回の変調に係るシンボルで表される値の数を意味する。例えば、変調方式が１６ＱＡＭ（１６  Ｑｕａｄｒａｔｕｒｅ  Ａｍｐｌｉｔｕｒｅ  Ｍｏｄｕｉｌａｔｉｏｎ、１６値直交位相変調）である場合には、その変調の値は１６である。ＭＣＳ値で指定される変調方式が１６ＱＡＭである場合、１段階下位の値数の変調方式は、ＱＰＳＫ（Ｑｕａｄｒａｔｕｒｅ  Ｐｈａｓｅ  Ｓｈｉｆｔ  Ｋｅｙｉｎｇ、４位相偏移変調）である。
【００４６】
ＴＰＣ指示、ＭＣＳ値それぞれの値域は予め定められているので、送信判定部３１３は、さらに大きいＴＰＣ指示、さらに小さいＭＣＳ値またはさらに下位の値の変調方式を特定できない場合がある。その場合には、送信処理部３１４は、上りスケジューリング情報で指示された最大のＴＰＣ指示、最小のＭＣＳ値または当該ＭＣＳ値で指示された変調方式を用いて送信処理を行う。その結果、送信パラメータが更新されないこともある。
【００４７】
なお、上述では送信パラメータの変更幅が一定値である場合を例にしたが、これには限られない。送信判定部３１３は、受信電力が高いほど、送信パラメータの変更幅をより大きくしてもよい。例えば、送信判定部３１３には、送信パラメータ決定閾値以下の受信電力の複数の区間のそれぞれに対応する変更幅を予め設定しておき、受信電力に対応する変更幅を特定してもよい。
また、ＬＴＥシステムのみの環境や、その他システムと混在するときの環境などの通信環境の変化に応じて、変更幅の一定値を自由に変更可能である。
【００４８】
送信判定部３１３が送信パラメータとして送信電力を変更するだけであれば、スモールセル基地局装置１０の受信処理部１１１は、ステップＳ１１４の処理において、送信電力に関わらず端末装置３０からの受信信号を復調することができる。しかし、送信判定部３１３が送信処理に用いる送信パラメータとしてＭＣＳ値または変調方式の値数を変更する場合には、受信処理部１１１は、復調に失敗することがある。これは、上りリンクデータの符号化に用いられた符号化方式と受信処理部１１１が符号化データの復号に用いる復号方式が対応していない、または、符号化データの変調に用いられた変調方式と受信処理部１１１が受信信号の復調に用いる復調方式とが対応していないことによる。そこで、ＭＣＳ値または変調方式の値数を変更する場合には、送信判定部３１３は、ブラインド復調を行う。ブラインド復調とは、復調に成功するまで複数の復調方式と符号化率のセットのそれぞれを用いて、順次復調処理を繰り返すことである。
【００４９】
送信パラメータの変更幅が大きいほどブラインド復調において復調に成功するまでの処理量が多くなる。そこで、スモールセル基地局装置１０の受信処理部１１１と端末装置３０の送信判定部３１３との間で、共通の送信パラメータの変更幅の許容値を予め設定しておいてもよい。変更幅の許容値を、以下、変更許容値を呼ぶ。送信判定部３１３は、設定された変更許容値の範囲内のいずれかの候補値に、上りスケジューリング情報に含まれる送信パラメータに対応する受信パラメータを更新する。受信処理部１１１は、その変更許容値の範囲内の各候補値を用いてブラインド復調を行う。これにより、ブラインド復調において復調に失敗する回数が減るので処理量が制限される。
【００５０】
また、スモールセル基地局装置１０の受信処理部１１１は、端末装置３０との通信を行うとき、送信パラメータの変更許容値を端末装置３０に送信してもよい。受信処理部１１１は、例えば、端末装置３０からの通信接続要求を受信するとき、その応答として送信パラメータとともに、その変更許容値を送信してもよい。端末装置３０の送信判定部３１３は、スモールセル基地局装置１０から受信した変更許容値の範囲内の送信パラメータを用いてブラインド復調を行う。
【００５１】
なお、端末装置３０のセンシング処理部３１２は、測定した受信電力を干渉レベルとしてスモールセル基地局装置１０に送信してもよい。その場合、スモールセル基地局装置１０のスケジューリング情報生成部１１３は、端末装置３０から受信した干渉レベルが高いほど、干渉への耐性が高くなるように送信パラメータを定めてもよい。スケジューリング情報生成部１１３は、例えば、干渉レベルが高いほど送信電力を大きくしてもよいし、ＭＣＳ値を小さくしてもよいし、より値数が小さい変調方式を示すＭＣＳ値を特定してもよい。
また、スモールセル基地局装置１０またはマクロセル基地局装置２０において、端末装置３０から報告される干渉レベル、あるいはスモールセル基地局装置１０のＬＢＴ結果に基づく干渉レベルも考慮してスケジューリングが行われる場合には、送信判定部３１３が、判定した干渉レベル(ＬＢＴ期間でのセンシング処理部３１２の受信電力)が低いほど、干渉への耐性が低くなる(伝送レートが高くなる)ように送信パラメータを定めてもよい。
【００５２】
上述した実施例は、スケジューリング通知方法が、主にスモールセル基地局装置１０によるセルフスケジューリングである場合を例にしたが、マクロセル基地局装置２０によるクロススケジューリングである場合についても適用されてもよい。例えば、端末装置３０との通信において、マクロセル基地局装置２０の受信処理部と端末装置３０の送信判定部との間で変更許容値が共有されてもよい。図７に示す通信処理は、マクロセル基地局装置２０の受信処理部が、端末装置３０からの通信接続要求時に変更許容値を端末装置３０に通知する場合を例にする。図７に示す処理は、通信接続シーケンス（ステップＳ１３０）と、データ通信処理（ステップＳ１４０）を有する。ステップＳ１３０の処理は、ステップＳ１３１〜Ｓ１３３の処理を含む。ステップＳ１４０の処理は、ステップＳ１４１〜Ｓ１４４の処理を含む。ステップＳ１４０の処理は、データ通信が終了するまで繰り返される。
【００５３】
（ステップＳ１２０）端末装置３０の制御部３１は、データ通信要求の発生を検出する。制御部３１は、例えば、所定のアプリケーションプログラムで指示される処理において通信開始が指示されるとき、データ通信要求の発生を検出する。アプリケーションプログラムは、例えば、相手先機器との間の音声通信、その他のデータ通信を実行するためのプログラムである。その後、ステップＳ１３１の処理に進む。
【００５４】
（ステップＳ１３１）端末装置３０の制御部３１は、マクロセル基地局装置２０に通信接続要求（例えば、ＲＲＣ（Ｒａｄｉｏ  Ｒｅｓｏｕｒｃｅ  Ｃｏｎｔｒｏｌ）接続要求）を送信する。マクロセル基地局装置２０の受信処理部は、端末装置３０から通信接続要求を受信する。その後、ステップＳ１３２の処理に進む。
（ステップＳ１３２）マクロセル基地局装置２０の制御部は、上りリンクデータの送信パラメータの変更許容値を含む接続設定値を構成する。マクロセル基地局装置２０の制御部は、例えば、ＲＲＣ接続設定値のメッセージに、送信パラメータの変更許容値を含める。マクロセル基地局装置２０の制御部は、通信接続要求への応答として構成した接続設定値を端末装置３０に送信する。その後、ステップＳ１３３の処理に進む。
（ステップＳ１３３）端末装置３０の送信判定部３１３は、マクロセル基地局装置２０から受信した接続設定値から送信パラメータの変更許容値を抽出する。送信判定部３１３は、抽出した送信パラメータの変更許容値を送信処理部３１４に設定する。その後、制御部３１は、接続設定完了通知をマクロセル基地局装置２０に送信する。マクロセル基地局装置２０の制御部は、端末装置３０から接続設定完了通知を受信する。その後、ステップＳ１４１の処理に進む。
【００５５】
（ステップＳ１４１）スモールセル基地局装置１０は、上りスケジューリング情報を端末装置３０に送信する。端末装置３０のスケジューリング情報処理部３１１は、スモールセル基地局装置１０から副セル受信部３２３を介して上りスケジューリング情報を受信する。その後、ステップＳ１４２の処理に進む。
（ステップＳ１４２）センシング処理部３１２は、上りスケジューリング情報の受信時から４サブフレーム後の直前のＬＢＴ期間においてＬＢＴを行う。送信判定部３１３は、ＬＢＴの結果として測定された受信電力に基づいて上りリンクデータの送信を行うか否かを判定する。送信判定部３１３は、送信を行うと判定する場合において、さらに送信パラメータを更新するか否かを判定する。送信判定部３１３は、送信パラメータを更新すると判定するとき、受信電力に応じて設定された変更許容値の範囲内の値に上りスケジューリング情報に含まれる送信パラメータを更新する。その後、ステップＳ１４３の処理に進む。
【００５６】
（ステップＳ１４３）送信処理部３１４は、更新した送信パラメータに基づいて上りリンクデータに所定の送信処理を行う。送信処理部３１４は、送信処理により得られた送信信号をスモールセル基地局装置１０に送信する。その後、ステップＳ１４４の処理に進む。
（ステップＳ１４４）スモールセル基地局装置１０の受信処理部１１１は、端末装置３０から受信した受信信号についての受信処理として、マクロセル基地局装置２０から受信した変更許容値の範囲内の送信パラメータに対応する受信パラメータの候補値を用いてブラインド復調を行う。
【００５７】
以上に説明したように、端末装置は、基地局装置から上りリンクデータのスケジューリング情報を取得するスケジューリング情報処理部を備える。また、端末装置は、スケジューリング情報の取得後、上りリンクデータの所定の送信時までに測定された受信電力に基づいて定められた送信パラメータを用いて、上りリンクデータを送信する送信処理部を備える。
この構成により、スケジューリング情報の取得後、送信時までに測定された受信電力に応じて干渉への耐性が異なる送信パラメータを用いて、上りリンクデータが送信される。そのため、スケジューリング情報の取得時よりも電波の発信の有無などの環境の変化による通信品質への影響を低減することができる。
【００５８】
また、端末装置は、スケジューリング情報の取得後、送信時までに受信電力を測定するセンシング処理部と、センシング処理部が測定した受信電力に基づいて送信パラメータを定める送信判定部と、を備える。
この構成により、端末装置における受信電力が干渉の指標として取得される。そのため、端末装置における環境の変化による通信品質への影響を低減することができる。
スケジューリング情報が示す送信パラメータを受信電力が高いほど干渉への耐性が高い送信パラメータに調整される。調整された送信パラメータに基づいて上りリンクデータを送信することで干渉の度合いに応じて通信品質を確保することができる。
【００５９】
また、端末装置において、送信判定部は、基地局装置から送信パラメータの範囲を示す範囲情報を受信し、範囲情報が示す範囲内に送信パラメータを定める。
この構成により、端末装置は、範囲情報が示す範囲内に更新された送信パラメータを用いて上りリンクデータを送信する。そのため、基地局装置は、端末装置から受信した上りリンクデータに係る送信パラメータを、その範囲内に制限することで復号に係る処理量の増加や通信品質の低下を抑制することができる。例えば、送信パラメータの範囲として、ＭＣＳ値または変調方式の段階の変更許容値が設定される場合を仮定する。その場合、基地局装置の受信処理部は、その変更許容値の範囲内の各候補値に対応する受信パラメータを用いてブラインド復調を行う。これにより、ブラインド復調において復調に失敗する回数が減るので処理量の無用な増加を回避することができる。送信パラメータの範囲として、ＴＰＣ指示の変更許容値が設定される場合には、端末装置の送信処理部は、その変更許容値内のＴＰＣ指示で指定される送信電力で上りリンクデータを送信する。これにより、基地局装置は、複数の端末装置から同時に受信する受信信号の受信レベルの端末装置間の分散を制限することができる。
【００６０】
（第２の実施形態）
次に、本発明の第２の実施形態について説明する。第１の実施形態と同一の構成については、同一の符号を付して、その説明を援用する。以下、主に第１の実施形態との差異点について説明する。
本実施形態に係る通信システム１Ａは、スモールセル基地局装置１０Ａ、マクロセル基地局装置２０、端末装置３０およびコアネットワークＣＲ０１を含んで構成される。
【００６１】
図８は、本実施形態に係るスモールセル基地局装置１０Ａの構成を示す概略ブロック図である。
スモールセル基地局装置１０Ａは、制御部１１Ａ、第１通信部１２および第２通信部１３を含んで構成される。制御部１１Ａは、受信処理部１１１、センシング処理部１１２、スケジューリング情報生成部１１３、送信判定部１１４および更新パラメータ処理部１１５を含んで構成される。
【００６２】
更新パラメータ処理部１１５は、副セル受信部１２１を介して端末装置３０から受信した受信信号から更新パラメータ情報を取得する。更新パラメータ情報は、例えば、メッセージ信号に含まれて搬送される。更新パラメータ情報は、更新後の送信パラメータを特定できる情報であればよい。更新パラメータ情報は、更新後の送信パラメータ自体を示す送信パラメータ情報であってもよいし、更新前の送信パラメータから更新後への送信パラメータとの差分を示す差分情報であってもよい。更新後の送信パラメータとして、例えば、更新後のＭＳＣ値または変調値が用いられる。変調値とは、変調方式の値数の段階を示すインデックスである。変調値が高いほど変調方式の値数が大きい。例えば、ＱＰＳＫ、１６ＱＡＭについての変調値は、それぞれ１、２、等の整数値である。差分値として、ＭＳＣ値差分または変調値差分が用いられる。ＭＳＣ値差分は、更新前のＭＳＣから更新後のＭＳＣ値への変更量である。ＭＳＣ値差分は、例えば、＋１、０、−１、−２等の整数値である。変調値差分は、更新前の変調値から更新後の変調値への変更量である。変調値差分は、例えば、更新前の変調方式が１６ＱＡＭであり、更新後の変調方式がＱＰＳＫである場合、−１である。差分情報を取得した場合には、更新パラメータ処理部１１５は、スケジューリング情報生成部１１３からの上りスケジューリング情報に示される送信パラメータに差分情報が示す差分を加算して、更新後の送信パラメータを取得する。更新パラメータ処理部１１５は、更新後の送信パラメータに対応する受信パラメータを示す更新パラメータ情報を受信処理部１１１に設定する。
【００６３】
受信処理部１１１は、更新パラメータ処理部１１５が更新パラメータ情報を設定するとき、副セル受信部１２１から入力された受信信号について、更新パラメータ情報が示す受信パラメータを用いて所定の受信処理を行う。受信処理により上りリンクデータが取得される。従って、受信処理部１１１は、ブラインド復調を行わなくてもよくなる。
【００６４】
なお、本実施形態に係る端末装置３０が送信パラメータを更新するとき、送信判定部３１３は、更新後の送信パラメータを特定できる更新パラメータ情報を生成する。送信処理部３１４は、送信判定部３１３が生成した更新パラメータ情報を含むメッセージ信号を生成する。送信処理部３１４は、生成したメッセージ信号を上りリンクデータと対応付けてスモールセル基地局装置１０Ａに送信する。送信処理部３１４は、そのメッセージ信号と上りリンクデータを搬送する送信信号を別個に送信してもよいし、そのメッセージ信号を上りリンクデータに付加し、メッセージ信号を付加した上りリンクデータを搬送する送信信号を送信してもよい。
【００６５】
（通信処理）
次に、本実施形態に係る通信処理について説明する。図９は、本実施形態に係る通信処理の一例を示すシーケンス図である。図９に示す処理は、図６に示すステップＳ１１１〜Ｓ１１３、ステップＳ１１５およびステップＳ１１６の処理を有する。図９に示す処理では、ステップＳ１１２の処理の終了後、ステップＳ１１５の処理に進む。
（ステップＳ１１５）送信パラメータを更新するとき、送信判定部３１３は、更新後の送信パラメータを特定できる更新パラメータ情報を生成する。送信処理部３１４は、送信判定部３１３が生成した更新パラメータ情報を含むメッセージ信号を生成する。送信処理部３１４は、生成したメッセージ信号を上りリンクデータと対応付けてスモールセル基地局装置１０Ａに送信する。その後、ステップＳ１１３の処理に進み、ステップＳ１１３の処理が終了した後、ステップＳ１１６の処理に進む。
【００６６】
（ステップＳ１１６）スモールセル基地局装置１０Ａの更新パラメータ処理部１１５は、端末装置３０から受信したメッセージ信号から更新パラメータ情報を取得する。更新パラメータ処理部１１５は、取得した更新パラメータ情報に基づいて更新後の送信パラメータを取得する。更新パラメータ処理部１１５は、更新後の送信パラメータを示す更新パラメータ情報に対応する受信パラメータを特定し、特定した受信パラメータを受信処理部１１１に設定する。受信処理部１１１は、端末装置３０から受信した受信信号について、設定された受信パラメータを用いて所定の受信処理を行って上りリンクデータを取得する。
【００６７】
なお、図９の処理において、ステップＳ１１５の処理は、ステップＳ１１３の処理と同時に行なわれてもよいし、ステップＳ１１３の処理よりも後に行われてもよい。
また、図９に示す例は、セルフスケジューリングを前提としているが、クロススケジューリングに適用されてもよい。マクロセル基地局装置２０は、スモールセル基地局装置１０Ａと同様の構成を備え、図９に示すスモールセル基地局装置１０Ａが担う処理を行う。
【００６８】
以上に説明したように、端末装置において、送信判定部は、センシング処理部が測定した受信電力に基づいて定めた送信パラメータを更新パラメータとして基地局装置に送信する。基地局装置は、端末装置が送信する上りリンクデータのスケジューリング情報を生成するスケジューリング情報生成部を備える。そして、基地局装置は、生成した前記スケジューリング情報に含まれる送信パラメータから更新された更新パラメータを前記端末装置から受信し、前記更新パラメータに対応する受信パラメータを特定する更新パラメータ処理部と、前記受信パラメータを用いて前記上りリンクデータを受信する受信処理部と、を備える基地局装置を備える。
この構成により、基地局装置は、端末装置が更新した更新パラメータに対応する受信パラメータを用いて上りリンクデータを受信する。そのため、端末装置が自装置における環境に応じた最適な送信パラメータで上りリンクデータを基地局装置に伝達することができるとともに、基地局装置はブラインド復調を行う必要がないため、受信処理の遅延を招くことなく復調することができる。
【００６９】
（第３の実施形態）
次に、本発明の第３の実施形態について説明する。第１の実施形態と同一の構成については、同一の符号を付して、その説明を援用する。以下、主に第１の実施形態との差異点について説明する。
本実施形態に係る通信システム１Ｂは、スモールセル基地局装置１０Ｂ、マクロセル基地局装置２０、端末装置３０ＢおよびコアネットワークＣＲ０１を含んで構成される。
【００７０】
図１０は、本実施形態に係るスモールセル基地局装置１０Ｂの構成を示す概略ブロック図である。
スモールセル基地局装置１０Ｂは、制御部１１Ｂ、第１通信部１２および第２通信部１３を含んで構成される。制御部１１Ｂは、受信処理部１１１、センシング処理部１１２、スケジューリング情報生成部１１３Ｂおよび送信判定部１１４を含んで構成される。スケジューリング情報生成部１１３Ｂは、ＲＢ情報生成部１１３１とＴＰＣ／ＭＣＳ情報生成部１１３２を含んで構成される。
【００７１】
ＲＢ情報生成部１１３１は、図２に示すスケジューリング情報生成部１１３と同様に、上りリンクデータの送信時から所定時間前（例えば、４サブフレーム前）に上りリンクデータの無線リソースブロックを定め、定めた無線リソースブロックを示すＲＢ情報を生成する。ＲＢ情報生成部１１３１は、生成したＲＢ情報を送信判定部１１４に出力する。生成されたＲＢ情報は、上りスケジューリング情報と同様のデータフォーマット（例えば、ＵＬ  ｇｒａｎｔ）に格納されてもよい。そのデータフォーマットのうち、ＭＣＳ値を示すＭＣＳ情報とＴＰＣコマンドを示すＴＰＣ情報の格納領域にはヌル値が格納される。ヌル値は、データが存在しないことを示す情報フラグである。
【００７２】
ＴＰＣ／ＭＣＳ情報生成部１１３２は、図２に示すスケジューリング情報生成部１１３と同様の手法でＭＣＳ値とＴＰＣコマンドを定める。但し、ＴＰＣ／ＭＣＳ情報生成部１１３２は、センシング処理部１１２からその時点において最新の受信電力が入力され、ＲＢ情報の出力後、端末装置３０Ｂにおける上りリンクデータの送信前にＭＣＳ値とＴＰＣコマンドを定める。ＴＰＣ／ＭＣＳ情報生成部１１３２がＭＣＳ値とＴＰＣコマンドを定めるタイミングは、例えば、送信時のサブフレームから１サブフレーム前である。ＴＰＣ／ＭＣＳ情報生成部１１３２は、定めたＭＣＳ値とＴＰＣコマンドを示すＴＰＣ／ＭＣＳ情報を生成し、生成したＴＰＣ／ＭＣＳ情報を送信判定部１１４に出力する。
なお、ＲＢ情報生成部１１３１、ＴＰＣ／ＭＣＳ情報生成部１１３２は、第１の実施形態の説明において述べたように、マクロセル基地局装置２０に存在してもよいし、マクロセル基地局装置２０およびスモールセル基地局装置１０Ｂの両方に存在してもよい。また、ＲＢ情報生成部１１３１、ＴＰＣ／ＭＣＳ情報生成部１１３２は、それぞれ別々の基地局装置に存在してもよい。
【００７３】
従って、図１１（Ａ）に示すように、スモールセル基地局装置１０Ｂの送信判定部１１４は、上りリンクデータ（Ｓｃｅｌｌ上りリンクデータ）の送信時から４サブフレーム前にＲＢ情報（Ｓｃｅｌｌ下りリンクＲＢ情報）を、１サブフレーム前にＴＰＣ／ＭＣＳ情報（Ｓｃｅｌｌ下りリンクＴＰＣ／ＭＣＳ情報）を、それぞれ端末装置３０Ｂに送信する。ここで、送信判定部１１４は、ＲＢ情報およびＴＰＣ／ＭＣＳ情報それぞれの送信前に、ＬＢＴの結果である受信電力に基づいて送信の可否を判定する（基地局ＬＢＴ）。
【００７４】
図１２は、本実施形態に係る端末装置３０Ｂの構成を示す概略ブロック図である。
端末装置３０Ｂは、図３に示す端末装置３０と同様な構成を備える。但し、スケジューリング情報処理部３１１は、スモールセル基地局装置１０ＢからＲＢ情報およびＴＰＣ／ＭＣＳ情報を受信し、受信したＲＢ情報およびＴＰＣ／ＭＣＳ情報を送信処理部３１４に設定する。送信処理部３１４は、上りリンクデータについてＴＰＣ／ＭＣＳ情報に基づいて符号化処理および変調処理を行って送信電力を調整した送信信号を生成する。送信処理部３１４は、生成した送信信号をＲＢ情報に基づいて割り当てた周波数帯域ならびにタイミングでスモールセル基地局装置１０Ｂに送信する。なお、送信判定部３１３は、上りリンクデータの送信前に、ＬＢＴの結果である受信電力に基づいてその送信の可否を判定する（端末ＬＢＴ）。そして、スモールセル基地局装置１０Ｂの受信処理部１１１は、端末装置３０Ｂから受信した受信信号についてＲＢ情報生成部１１３１が生成したＲＢ情報とＴＰＣ／ＭＣＳ情報生成部１１３２が生成したＴＰＣ／ＭＣＳ情報に基づいて上りリンクデータを取得する（データ受信処理）。
【００７５】
また、スモールセル基地局装置１０Ｂの送信判定部１１４は、下りリンクデータを送信しないと判定する場合において、ＲＢ情報およびＴＰＣ／ＭＣＳ情報を端末装置３０Ｂに送信しなくてもよい。端末装置３０Ｂのスケジューリング情報処理部３１１がスモールセル基地局装置１０ＢからＲＢ情報あるいはＴＰＣ／ＭＣＳ情報を受信しないときには、送信処理部３１４は、上りリンクデータに基づく送信信号の生成を行わない。そのため、端末装置３０Ｂから上りリンクデータが送信されない。従って、スモールセル基地局装置１０Ｂにおいて下りリンクデータを送信しない場合には、端末装置３０Ｂからの上りリンクデータを受信しない。そのため、干渉による上りリンクデータの受信障害が回避される。
【００７６】
さらに、スモールセル基地局装置１０Ｂの送信判定部１１４は、下りリンクデータを送信しないと判定する場合において、上りリンクデータを送信しないことを示すＴＰＣ情報を生成し、生成したＴＰＣ情報を端末装置３０Ｂに送信してもよい。この場合には、後述するクロススケジューリングを適用し、送信判定部１１４は、マクロセル基地局装置２０経由でそのＴＰＣ情報を送信してもよい。なお、上りリンクデータを送信しないことを示す情報としては、ＴＰＣ情報ではなく、端末装置３０Ｂ宛の別の制御情報を用いて送信してもかまわない。端末装置３０Ｂのスケジューリング情報処理部３１１がスモールセル基地局装置１０Ｂから上りリンクデータを送信しないことを示すＴＰＣ情報を受信するとき、送信処理部３１４は、上りリンクデータに基づく送信信号の生成を行わない。この場合においても、スモールセル基地局装置１０Ｂは、端末装置３０Ｂからの上りリンクデータを受信しないため、干渉による上りリンクデータの受信障害が回避される。
なお、スモールセル基地局装置１０ＢにおけるＬＢＴ判定がｂｕｓｙであるため、下りリンクデータを送信しないと判定する場合においても、後述するクロススケジューリングを適用し、送信判定部１１４は、マクロセル基地局装置２０経由で上りリンクデータを送信しないことを示す情報を送信してもかまわない。この送信において、ライセンスバンドが用いられてもよい。
【００７７】
図１１（Ａ）に示す例は、セルフスケジューリングを前提としているが、上述したＲＢ情報およびＴＰＣ／ＭＣＳ情報の送信タイミング制御は、クロススケジューリングに適用されてもよい。その場合、マクロセル基地局装置２０のスケジューリング情報生成部は、ＲＢ情報生成部１１３１とＴＰＣ／ＭＣＳ情報生成部１１３２と同様の構成を備える。
クロススケジューリングでは、図１１（Ｂ）に示すように、マクロセル基地局装置２０の送信処理部は、上りリンクデータ（Ｓｃｅｌｌ上りリンクデータ）の送信時から４サブフレーム前にＲＢ情報（Ｐｃｅｌｌ下りリンクＲＢ情報）を端末装置３０Ｂに送信する（図１３、ステップＳ１５１）。１サブフレーム前にＴＰＣ／ＭＣＳ情報（Ｐｃｅｌｌ下りリンクＴＰＣ／ＭＣＳ情報）を、それぞれ端末装置３０Ｂに送信する（図１３、ステップＳ１５２）。ここで、マクロセル基地局装置２０の送信処理部は、受信電力に基づいて送信の可否を判定する処理を行わなくてもよい。
【００７８】
端末装置３０Ｂのスケジューリング情報処理部３１１は、マクロセル基地局装置２０から受信したＲＢ情報およびＴＰＣ／ＭＣＳ情報を送信処理部３１４に設定する（図１３、ステップＳ１５３）。図１３に示すステップＳ１５３は、送信判定部３１３によるＬＢＴ判定がｉｄｌｅである場合を前提としている。送信処理部３１４は、上述したように上りリンクデータについてＴＰＣ／ＭＣＳ情報とＲＢ情報に基づいてスモールセル基地局装置１０Ｂに送信する（図１３、ステップＳ１５４）。送信判定部３１３は、上りリンクデータの送信直前に、ＬＢＴの結果である受信電力に基づいてその送信の可否を判定する（端末ＬＢＴ）。スモールセル基地局装置１０Ｂの受信処理部１１１は、上述したように、端末装置３０Ｂからの受信信号について、そのＲＢ情報とＴＰＣ／ＭＣＳ情報に基づいて上りリンクデータを取得する（図１３、ステップＳ１５５）。
【００７９】
なお、上記の説明は、端末装置３０Ｂの送信判定部３１３がＬＢＴ判定を行うことを例にするが、これには限られない。本実施形態では、送信判定部３１３は、ＬＢＴ判定を行わずにＴＰＣ／ＭＣＳ情報の有無またはＴＰＣ／ＭＣＳ情報の内容に基づいて上りリンクデータの送信を行うか否かを判定してもよい。その場合には、端末装置３０Ｂは、センシング処理部３１２と干渉受信部３２５とを備えていなくでもよい。
【００８０】
また、マクロセル基地局装置２０の送信処理部によるＴＰＣ／ＭＣＳ情報の送信期間は、端末装置３０Ｂのセンシング処理部３１２によるＬＢＴ期間の一部または全部と重複してもよい。これは、端末装置３０Ｂとマクロセル基地局装置２０との送受信に用いられる周波数帯域と、端末装置３０Ｂとスモールセル基地局装置１０Ｂとの送受信に用いられる周波数帯域とが異なるためである。
また、図１３に示す例とは異なり、スモールセル基地局装置１０Ｂとマクロセル基地局装置２０のいずれか一方がＴＰＣ／ＭＣＳ情報を送信し、他方がＲＢ情報を送信してもよい。
【００８１】
また、上述した例は、スケジューリング方式としてダイナミックスケジューリング方式が適用されている場合を例にしたが、サブフレーム間で間欠的に定めた無線リソース情報を複数のサブフレームを送信に用いるスケジューリング方式に適用してもよい。ダイナミックスケジューリングとは、各サブフレームについて無線リソース情報を定める手法である。サブフレーム間で間欠的に定めた無線リソース情報を複数のサブフレームを送信に用いるスケジューリング方式には、例えば、ＳＰＳ（Ｓｅｍｉ−Ｐｅｒｓｉｓｔｅｎｔ  Ｓｃｈｅｄｕｌｉｎｇ）方式がある。その場合、スモールセル基地局装置１０Ｂまたはマクロセル基地局装置２０のスケジューリング情報生成部は、複数サブフレーム毎に無線リソース情報を定め、各サブフレームについてＴＰＣ／ＭＣＳ情報を定め、送信判定部を介して送信してもよい。
【００８２】
以上に説明したように、基地局装置は、端末装置が送信する上りリンクデータの無線リソース情報を生成し、当該無線リソース情報を端末装置に送信し、無線リソース情報の送信後、上りリンクデータの所定の送信時までに、上りリンクデータの送信パラメータを定め、当該送信パラメータを端末装置に送信するスケジューリング情報生成部を備える。
また、端末装置において、スケジューリング処理部は、上述のスケジューリング情報のうち上りリンクデータの無線リソース情報を取得し、無線リソース情報の取得後、上りリンクデータの所定の送信時までに上りリンクデータの送信パラメータを基地局装置から取得する。
この構成により、端末装置のスケジューリング情報処理部が取得する送信パラメータは、無線リソース情報の取得後の環境に基づいて定めた送信パラメータを取得する。端末装置の送信処理部は、取得した送信パラメータを用いて上りリンクデータを送信する。そのため、端末装置は、スケジューリング情報の受信後、例えば、送信の直前のサブフレームまでの環境の変化に応じて上りリンクデータを基地局装置に伝達することができる。
【００８３】
以上、この発明の実施形態について詳しく説明してきたが、具体的な構成は上述のものに限られることはなく、この発明の要旨を逸脱しない範囲内において様々な設計変更等をすることが可能である。
例えば、上述した通信システム１、１Ａ、１Ｂは、ＬＡＡ方式を用いて通信を行うＬＡＡシステムに限られず、スタンドアローン（Ｓｔａｎｄａｌｏｎｅ）型アンライセンスバンドＬＴＥシステムとしても構成されうる。スタンドアローン型アンライセンスバンドＬＴＥシステムとは、各種のデータを送受信に用いる電波の周波数帯域としてアンライセンスバンドのみを用いるＬＴＥシステムである。この場合、通信システム１、１Ａ、１Ｂにおいて、マクロセル基地局装置２０が省略され、端末装置３０、３０Ｂにおいて、主セル受信部３２１と主セル送信部３２２が省略されてもよい。また、通信システム１、１Ａ、１Ｂにおいて、マクロセル基地局装置２０の主セル受信部、端末装置３０、３０Ｂの主セル受信部３２１は、伝送されたアンライセンスバンドの電波を受信信号として受信してもよい。このとき、マクロセル基地局装置２０の主セル送信部、端末装置３０、３０Ｂの主セル送信部３２２は、送信信号をアンライセンスバンドの電波として送信する。
また、基地局装置が上りリンクデータのスケジューリングを行い、スケジューリングに基づいて端末装置がその上りリンクデータをアンライセンスバンドの電波を用いて送信する、その他の無線通信システムが上述した通信処理を実行してもよい。
【００８４】
なお、上述した実施形態は、次の態様でも実施することができる。
（１）基地局装置から上りリンクデータのスケジューリング情報を取得するスケジューリング情報処理部と、前記スケジューリング情報の取得後、前記上りリンクデータの所定の送信時までに測定された受信電力に基づいて定められた送信パラメータを用いて、前記上りリンクデータを送信する送信処理部と、を備える端末装置。
【００８５】
（２）前記スケジューリング情報の取得後、前記送信時までに前記受信電力を測定するセンシング処理部と、前記センシング処理部が測定した受信電力に基づいて前記送信パラメータを定める送信判定部と、をさらに備える（１）の端末装置。
【００８６】
（３）前記送信判定部は、前記基地局装置から前記送信パラメータの範囲を示す範囲情報を受信し、前記範囲情報が示す範囲内に前記送信パラメータを定める（２）の端末装置。
【００８７】
（４）前記スケジューリング情報処理部は、前記スケジューリング情報のうち前記上りリンクデータの無線リソース情報を取得し、前記無線リソース情報の取得後、前記上りリンクデータの所定の送信時までに前記上りリンクデータの送信パラメータを前記基地局装置から取得することを特徴とする（１）の端末装置。
【００８８】
（５）前記送信判定部は、前記センシング処理部が測定した受信電力に基づいて定めた送信パラメータを更新パラメータとして前記基地局装置に送信することを特徴とする（２）または（３）の端末装置。
【００８９】
（６）端末装置が送信する上りリンクデータのスケジューリング情報を生成するスケジューリング情報生成部と、前記スケジューリング情報に含まれる送信パラメータから更新された更新パラメータを前記端末装置から受信し、前記更新パラメータに対応する受信パラメータを特定する更新パラメータ処理部と、前記受信パラメータを用いて前記上りリンクデータを受信する受信処理部と、を備える基地局装置。
【００９０】
（７）端末装置が送信する上りリンクデータの送信の直前のサブフレームにおいて、前記上りリンクデータの送信パラメータを定め、当該送信パラメータを前記端末装置に送信するスケジューリング情報生成部と、前記送信パラメータに対応する受信パラメータを用いて前記上りリンクデータを受信する受信処理部と、を備える基地局装置。
【００９１】
（８）端末装置と基地局装置を備える通信システムであって、前記端末装置は、前記基地局装置から上りリンクデータのスケジューリング情報を取得するスケジューリング情報処理部と、前記スケジューリング情報の取得後、前記上りリンクデータの所定の送信時までに測定された受信電力に基づいて定められた送信パラメータを用いて、前記上りリンクデータを送信する送信処理部と、を備える通信システム。
【００９２】
（９）端末装置における通信方法であって、基地局装置から上りリンクデータのスケジューリング情報を取得するスケジューリング情報処理ステップと、前記スケジューリング情報の取得後、前記上りリンクデータの所定の送信時までに測定された受信電力に基づいて定められた送信パラメータを用いて、前記上りリンクデータを送信する送信処理ステップと、を有する通信方法。
【００９３】
（１０）端末装置のコンピュータに、基地局装置から上りリンクデータのスケジューリング情報を取得するスケジューリング情報処理手順、前記スケジューリング情報の取得後、前記上りリンクデータの所定の送信時までに測定された受信電力に基づいて定められた送信パラメータを用いて、前記上りリンクデータを送信する送信処理手順、を実行させるためのプログラム。
【００９４】
なお、上述した実施形態におけるスモールセル基地局装置１０、１０Ａ、１０Ｂ、マクロセル基地局装置２０ならびに端末装置３０、３０Ｂの一部、例えば、制御部１１、１１Ａ，１１Ｂ、３１または全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【００９５】
なお、ここでいう「コンピュータシステム」とは、スモールセル基地局装置１０、１０Ａ、１０Ｂ、マクロセル基地局装置２０ならびに端末装置３０、３０Ｂに内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【００９６】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【００９７】
また、上述した実施形態におけるスモールセル基地局装置１０、１０Ａ、１０Ｂ、マクロセル基地局装置２０ならびに端末装置３０、３０Ｂを、ＬＳＩ（Ｌａｒｇｅ  Ｓｃａｌｅ  Ｉｎｔｅｇｒａｔｉｏｎ）等の集積回路として実現してもよい。端末装置３０、３０Ｂの各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【００９８】
１、１Ａ、１Ｂ…通信システム、１０、１０Ａ、１０Ｂ・・・マクロセル基地局装置、１１、１１Ａ、１１Ｂ…制御部、１２…第１通信部、１３…第２通信部、２０…スモールセル基地局装置、３０、３０Ｂ…端末装置、３１…制御部、３２…通信部、１１１…受信処理部、１１２…センシング処理部、１１３、１１３Ｂ…スケジューリング情報生成部、１１４…送信判定部、１１５…更新パラメータ処理部、１２１…副セル受信部、１２２…副セル送信部、１２３…干渉受信部、３１１…スケジューリング情報処理部、３１２…センシング処理部、３１３…送信判定部、３１４…送信処理部、３２１…主セル受信部、３２２…主セル送信部、３２３…副セル受信部、３２４…副セル送信部、３２５…干渉受信部、１１３１…ＲＢ情報生成部、１１３２…ＴＰＣ／ＭＣＳ情報生成部
【図１】
2017212551.tif 000003
【図２】
2017212551.tif 000004
【図３】
2017212551.tif 000005
【図４】
2017212551.tif 000006
【図５】
2017212551.tif 000007
【図６】
2017212551.tif 000008
【図７】
2017212551.tif 000009
【図８】
2017212551.tif 000010
【図９】
2017212551.tif 000011
【図１０】
2017212551.tif 000012
【図１１】
2017212551.tif 000013
【図１２】
2017212551.tif 000014
【図１３】
2017212551.tif 000015